(57)【要約】【課題】２つの支持台と、一つの把持具とを含む、高さ調節可能な腕立て伏せ補助装置を提供する。【解決手段】支持台１０がそれぞれ一つの縦パイプ１１を有し、把持具２０の中段に把持部２１を形成し、両端を曲げて２つの挿入段２２をそれぞれ形成し、挿入段をそれぞれ縦パイプに軸挿する。縦パイプ内部の横方向に突き当て部を凸設し、縦パイプの内部が突き当て部の上端と、縦パイプ底部端との間に第２チャンバーを形成し、各挿入段底部端の軸方向に底上げ部２３を凸設し、底上げ部は選択により、第２チャンバーに軸挿されるか、または突き当て部の上縁に当たって、把持部の高さを調節変化することができる。これに加えて、利用者の選択により、底上げ部をそれぞれ第２チャンバーに軸挿するか、または突き当て部の上縁に当てて、把持部の高さを変更するとともに、把持部の地面に対する傾斜角度が調節できる。【選択図】図２
0003224434.tif 000002
【実用新案登録請求の範囲】
【請求項１】
２つの支持台１０と、一つの把持具２０とを含み、
前記２つの支持台１０は、主に一つの縦パイプ１１を両側の底面より側方向に凸設した２つの横パイプ１２によって構成し、
前記把持具２０の中段部分に把持部２１を形成し、前記把持具２０の両端がそれぞれ下方に曲がって、２つの挿入段２２を形成し、前記挿入段２２をそれぞれ前記支持台１０の前記縦パイプ１１に軸挿し、
前記支持台の前記縦パイプはそれぞれパイプ内部において、横方向に突き当て部を凸設して、前記縦パイプの内部が前記突き当て部の上端と、前記縦パイプの上端との間に第１チャンバーを形成し、前記縦パイプの内部が前記突き当て部の前記上端と、前記縦パイプの底部端との間に第２チャンバーを形成し、前記第１チャンバーと、前記第２チャンバーとが連絡し、前記突き当て部の隣接する前記第２チャンバーの立面が前記縦パイプの軸心と隣り合わせていて、
前記挿入段がロッド体を形成し、前記挿入段の底部端が軸方向に沿って底上げ部に突き出し、前記底上げ部が縦方向平面の上端と、前記挿入段の軸心と隣り合わせていて、前記底上げ部は選択により、前記第２チャンバーに軸挿されるか、または前記突き当て部の上縁に当たって、前記把持部の高さを調節変化することを特徴とする、高さ調節可能な腕立て伏せ補助装置。
【請求項２】
前記縦パイプ１１は前記第１チャンバー１４の周面において、前記縦パイプ１１の軸方向に沿って、２つの案内溝１７を凹設し、前記案内溝１７の一端をそれぞれ前記縦パイプ１１の前記上端に伸ばし、前記案内溝１７は前記縦パイプ１１の径方向の両端が互いに対向し、前記挿入段２２の側面にリブ２４を凸設し、前記リブ２４は前記挿入段２２の径方向の両端が互いに反対側を向き、前記リブ２４をそれぞれ前記案内溝１７に摺設することを特徴とする、請求項１記載の高さ調節可能な腕立て伏せ補助装置。
【請求項３】
前記リブ２４の両側に少なくとも１つの当接部２４２を凸設し、前記当接部２４２が弾性を有し、前記当接部２４２がそれぞれ、両側の前記案内溝１７に当てられることを特徴とする、請求項２記載の高さ調節可能な腕立て伏せ補助装置。
【請求項４】
前記突き当て部１３が主に複数の子ブロック１３２を縦方向に並列して組み合わされ、隣接する２つの前記子ブロック１３２の間にそれぞれ隙間１３４を形成することを特徴とする、請求項１記載の高さ調節可能な腕立て伏せ補助装置。
【請求項５】
前記第１チャンバー１４の横断面が長い円形を形成し、前記挿入段２２の横断面が長い円形の前記ロッド体を形成することを特徴とする、請求項１記載の高さ調節可能な腕立て伏せ補助装置。
【考案の詳細な説明】
【技術分野】
【０００１】
本考案は身体を鍛える運動補助装置に関し、特に高さ調節可能な腕立て伏せ補助装置の斬新な構造形態に関わる。
【背景技術】
【０００２】
腕立て伏せは、一種の上半身筋肉を鍛える運動である。公知の腕立て伏せ補助装置は主に２つの支持台と、一つの把持具とを含む。支持台は、それぞれ横パイプと、縦パイプによって構成され、縦パイプが直立状態のとき、横パイプの中段と互いに継ぎ合わされ、把持具は把持部を有し、把持具の両端がそれぞれ下方に曲がって挿入段を形成し、各挿入段がそれぞれ支持台の縦パイプに軸挿される。
【０００３】
前述の腕立て伏せ補助装置を適用して、腕立て伏せ運動をするときには、手のひらが把持部を把持することで、地面に接触する必要はなく、手のひらが汚れるまたは地面をこすって怪我する危険性はない。
【考案の概要】
【考案が解決しようとする課題】
【０００４】
しかしながら、この種の構造形態を実際に使用したところ、次の課題が残される。公知の腕立て伏せ補助装置には個人の好みや所望の鍛え強さに従って、把持部と地面との空間の相関状態が変更できず、単調無味に陥りやすい。
【課題を解決するための手段】
【０００５】
本考案の主な目的は、高さ調節可能な腕立て伏せ補助装置を提供する。解決しようとする課題は、利用者個々の好み及び鍛え強さに合わせて、把持部の高さを調節できるようにし、健康運動と鍛えを変化させ興味を向上できる、より理想的、実用性を有する斬新な高さ調節可能な腕立て伏せ補助装置の構造形態を目指して、創造および乗り越えを図る。
【０００６】
前述目的に基づき、本考案より２つの支持台と、一つの把持具とを含む、高さ調節可能な腕立て伏せ補助装置が提供される。各支持台は主に一つの縦パイプが両側の底部端から側面方向に２つの横パイプを突き出して構成し、把持具の中段部分に把持部を形成し、把持具の両端がそれぞれ下向きに曲がって２つの挿入段を形成し、各挿入段をそれぞれ支持台の縦パイプに軸挿する。
【０００７】
各支持台の縦パイプがパイプの内部において、横方向に突き当て部を凸設し、縦パイプの内部が突き当て部の上端と、縦パイプ上端との間に第１チャンバーを形成し、縦パイプの内部が突き当て部上端と、縦パイプ底部端との間に第２チャンバーを形成し、第１チャンバーと、第２チャンバーとを連絡し、突き当て部が隣接する第２チャンバーの立面と、縦パイプの軸心と隣り合わせる。
【０００８】
挿入段がロッド体を形成し、挿入段の底部端が軸方向に沿って底上げ部に突き出していて、かつ、底上げ部が縦向き平面の上端と、挿入段の軸心と隣り合わせる。これにより、底上げ部は選択により、第２チャンバーに軸挿されるか、または突き当て部の上縁に当たって、把持部の高さを調節変化することができる。
【０００９】
本考案の斬新な独特の構成により、先行技術に比べて、利用者は自分の好みや所望の鍛え強さに基づき、底上げ部をそれぞれ第２チャンバーに軸挿するか、または突き当て部の上縁に当てて、把持部高さを調節ならびに変化できる他、把持部の地面に対する傾斜角度を調節変化することによって、健康運動と鍛えの興味を向上し、実用上の課題を達成する。
【図面の簡単な説明】
【００１０】
【図１】本考案の実施形態１の立体図である。
【図２】本考案の実施形態１の立体分解図である。
【図３】本考案の実施形態１において、縦パイプの突き当て部の径方向における断面図である。
【図４】本考案の実施形態１による側断面図である。
【図５】本考案の実施形態１による使用状態（その２）の側断面図である。
【図６】本考案の実施形態１による使用状態（その３）の側断面図である。
【図７】本考案の実施形態１による使用状態（その４）の側断面図である。
【図８】本考案の実施形態２において、縦パイプの突き当て部の径方向における断面図である。
【図９】本考案の実施形態３の立体分解図である。
【図１０】本考案の実施形態３による上面図である。
【図１１】図１０の１１−１１断面に係る局所態様図であり、リブと、案内溝との相関構成を示す図である。
【考案を実施するための形態】
【００１１】
各図は本考案の高さ調節可能な腕立て伏せ補助装置について、具体的で実行可能な実施形態を取り上げているが、これらの実施形態は説明目的に過ぎず、本考案の請求範囲は、これらの構造に拘束されないものとする。
【００１２】
図１に本考案の高さ調節可能な腕立て伏せ補助装置の実施形態１を示す。２つの支持台１０と、一つの把持具２０とを含む。そのうち、各支持台１０は主に一つの縦パイプ１１が両側の底部端より側方向にそれぞれ２つの横パイプ１２を伸ばして構成し、把持具２０の中段部分に把持部２１を形成し、把持具２０の両端をそれぞれ下方に曲げて２つの挿入段２２を形成し、挿入段２２をそれぞれ支持台１０の縦パイプ１１に軸挿する。
【００１３】
図２ないし図４に示すように、各支持台１０の縦パイプ１１がそれぞれ内部において、横方向に突き当て部１３を凸設し、縦パイプの内部が突き当て部１３の上端と、縦パイプ１１の上端との間に第１チャンバー１４を形成し、縦パイプ１１の内部が突き当て部１３の上端と、縦パイプ１１の底部端との間に第２チャンバー１５を形成し、第１チャンバー１４と、第２チャンバー１５とが連絡し、突き当て部１３の隣接する第２チャンバー１５の立面１６が、縦パイプ１１の軸心と隣り合わせる。これにより、底上げ部２３は選択により、第２チャンバー１５に軸挿されるか、または突き当て部１３の上面に当たって、把持部２１の高さを調節変化させる。なお底上げ部２３は、縦方向の平面２３２を有する。
【００１４】
前述した構造形態と技術特徴に基づき、本考案を使用する際の動作状態を次のとおりに説明する。図４に示すように、底上げ部２３をそれぞれ第２チャンバー１５に軸挿し、挿入段２２の底部端をそれぞれ突き当て部１３の上面に当てる。このとき、把持部２１は地面５０との距離が小さい。図５に示すように、底上げ部２３は選択により、突き当て部１３の上面に当てられる。このとき、把持部２１は地面５０との距離が大きい。引き続き、図６、７に示すように、一つの底上げ部２３を第２チャンバー１５に軸挿し、もう一つの底上げ部２３を突き当て部１３の上面に立設する。このとき、把持部２１が地面５０に対して、明らかな傾斜状を形成する。
【００１５】
前述のとおり、底上げ部２３と、縦パイプ１１の空間における構成を異ならせることによって、挿入段２２と、底上げ部２３をそれぞれ縦パイプ１１より引き抜いた後に、一つのみの縦パイプ１１または両者の縦パイプ１１を回し、挿入段２２と、底上げ部２３をそれぞれ縦パイプ１１に軸挿して達成できる。
【００１６】
前述のとおり、利用者は自らの好みと運動鍛えの強さに基づき、底上げ部２３をそれぞれ第２チャンバー１５に軸挿するか、または突き当て部１３の上面に当てることによって、把持部２１の高さを調節変化させるほか、把持部２１の地面５０に対する傾斜角を変更し、健康運動と鍛えの内容を変化させて、興味が向上される。
【００１７】
さらに、第１チャンバー１４の横断面が長い円形を形成し、挿入段２２の横断面が長い円形のロッド体を形成し、第１チャンバー１４の横断面も選択により、円形、楕円形、矩形、六辺形、八辺形に置き換えるかまたはその他センタ部の釣り合った２つの空間を合わせて、形成しても良い。さらに、挿入段２２には第１チャンバー１４の断面と合わせて、対応形状の横断面を有したロッド体を形成することができる。図示例は本考案の解釈を拘束しない。
【００１８】
実施形態２は実施形態１の変形例であり、実施形態２において、実施形態１と同じ構成部分について、ここでの説明を省略する。図８に示すように、実施形態２と実施形態１との構成の違いは、主に突き当て部１３が複数の子ブロック１３２を縦方向に並列して組み合わせていて、かつ、２つの隣接する子ブロック１３２の間にそれぞれ隙間１３４を形成し、これをもって、支持台１０の重さを軽減させることである。
【００１９】
実施形態３は実施形態１を変形したものであり、実施形態３と実施形態１と同じ構成部分について、ここでの説明を省略する。図９に示す実施形態３と実施形態１との構成の違いを述べると、主に縦パイプ１１が第１チャンバー１４の周面において、縦パイプ１１の軸方向に沿って２つの案内溝１７を凹設し、案内溝１７の一端をそれぞれ縦パイプ１１の上端に伸ばして、案内溝１７が縦パイプ１１の径方向の両端で互いに対向し、挿入段２２の側面がそれぞれ外側にリブ２４を凸設し、リブ２４は挿入段２２の径方向の両端が互いに反対側を向き、リブ２４をそれぞれ案内溝１７に摺設し、挿入段２２を誘導して縦パイプ１１に挿入する。
【００２０】
リブ２４の両側に少なくとも１つの当接部２４２を凸設する。図１０、１１に示すように、当接部２４２をそれぞれ両側の案内溝１７に当て、これにより、挿入段２２と、縦パイプ１１と互いの固定性が向上される。
【００２１】
各当接部２４２は弾性を有しており、さらに、リブ２４と、当接部２４２とも弾性部材によって構成することが好ましい。
【００２２】
なお、好ましい実施形態は下記の実施態様で構成されてよい。
【００２３】
２つの挿入段（２２）の下端の側部にそれぞれ形成されている２つの挿入段凹部（２３２）を備えていてもよい。
【００２４】
突き当て部（１３，１３２）は２つの突き当て部であり、２つの支持台（１０）が把持部（２１）に対して第１方向に向けられているときに、２つの挿入段凹部（２３２）を受け入れ、把持部を第１高さに位置させ、２つの支持台が把持部に対して第１方向と反対である第２方向に向けられているときに、２つの挿入段（２２）の下端に突き当てられ、把持部を第１高さよりも大きな第２高さに位置させてもよい。
【００２５】
第１支持台（１０）が第１方向に向けられ、第２支持台（１０）が第２方向に向けられているときには、把持部（２１）は第１及び第２高さの間で傾斜した姿勢にされてもよい。
【符号の説明】
【００２６】
１０  支持台
１１  縦パイプ
１２  横パイプ
１３  突き当て部
１３２  子ブロック
１３４  隙間
１４  第１チャンバー
１５  第２チャンバー
１６  立面
１７  案内溝
２０  把持具
２１  把持部
２２  挿入段
２３  底上げ部
２３２  平面
２４  リブ
２４２  当接部
５０  地面
【図１】
0003224434.tif 000003
【図２】
0003224434.tif 000004
【図３】
0003224434.tif 000005
【図４】
0003224434.tif 000006
【図５】
0003224434.tif 000007
【図６】
0003224434.tif 000008
【図７】
0003224434.tif 000009
【図８】
0003224434.tif 000010
【図９】
0003224434.tif 000011
【図１０】
0003224434.tif 000012
【図１１】
0003224434.tif 000013